(57)【要約】【課題】バンド基材の単位長さあたりのリストバンドの作成数を増大させ、低コストでリストバンドを作成可能にすること。【解決手段】リストバンド４を作成するための素材片２は、リストバンド形状を２分割した各分割部分の形状をした分割片４Ａ、４Ｂを並列配置し、これらを接続片１０で接続した形状である。帯状のバンド基材１には、素材片２の形状が１列に並んでレイアウトされ、各素材片２の輪郭形状に沿って切り取り線３が形成されている。バンド基材１をプリンターにセットして印刷領域７に表示情報を印刷した後、バンド基材１から素材片２を切り取る。切り取った素材片２における分割片４Ａ、４Ｂの一方を１８０度回転させて端部４ａ、４ｂを突き合わせ、係止穴９が重なるか又は接近するように位置決めした後、クリップ８で挟み留める。これにより、分割片４Ａ、４Ｂが連結され、リストバンド４として使用できる。【選択図】図１
2012155250.tif 000002
【特許請求の範囲】
【請求項１】
帯状のリストバンド形状を長手方向に２分割した場合の２つの分割部分の形状を、帯状のバンド基材に並列にレイアウトし、
当該レイアウトに従って、前記分割部分の形状をした２つの分割片を備える素材片を、前記バンド基材から切り取り、
当該切り取った素材片における前記２つの分割片を、分割位置側の端部同士を突き合わせる向きに一列に配置して、当該端部同士を所定の連結部材によって連結することを特徴とするリストバンドの作成方法。
【請求項２】
請求項１において、
前記２つの分割片は同一長さであり、
前記２つの分割片を前記バンド基材の幅方向に並列配置するように、前記素材片の形状を前記バンド基材上にレイアウトし、当該レイアウトに従って前記素材片を切り取ることを特徴とするリストバンドの作成方法。
【請求項３】
請求項１または２において、
前記２つの分割片は、各分割片における前記分割位置側の端部同士を同じ側に向けて並列配置されており、
前記素材片は、前記２つの分割片を前記分割位置側の端部において接続する接続片を備えることを特徴とするリストバンドの作成方法。
【請求項４】
請求項３において、
前記２つの分割片における前記分割位置側の端部を前記連結部材によって連結した後、当該連結後の前記分割片の端縁からはみ出している前記接続片の部分を切り取ることを特徴とするリストバンドの作成方法。
【請求項５】
請求項１ないし４のいずれかの項において、
前記連結部材は前記素材片を挟み留めるためのクリップであり、
前記２つの分割片における前記分割位置側の各端部に、前記クリップに設けられた係止凸部を通すための連結用係止穴を形成し、
各端部における前記連結用係止穴の形成部位を接近させるかもしくは重ね合わせて、当該部位を前記クリップによって挟み留めると共に各連結用係止穴に前記係止凸部を通すことにより、前記２つの分割片を一列に連結することを特徴とするリストバンドの作成方法。
【請求項６】
請求項５において、
前記２つの分割片における前記リストバンド形状の一端側および他端側に対応する各部位には、前記係止凸部を通すための他の係止穴が形成されており、
前記クリップは、前記一端側および他端側における前記他の係止穴の形成部位を重ね合わせて挟み留めることによって前記リストバンドを環状にするための係止具として使用可能に構成されていることを特徴とするリストバンドの作成方法。
【請求項７】
請求項１ないし６のいずれかの項に記載のリストバンドの作成方法によって作成されたリストバンド。
【発明の詳細な説明】
【技術分野】
【０００１】
本発明は、帯状のバンド基材からリストバンドとして使用する部分を切り抜いてリストバンドを作成する方法およびリストバンドに関する。
【背景技術】
【０００２】
従来から、病院などにおいて、患者の診療科、氏名、年齢、血液型などの個人情報を印刷などによって表示したリストバンドを患者に装着させて、患者の特定を確実にしている。また、各種の施設利用者や、イベントの参加者に必要な情報を印刷したリストバンドを装着させて、必要な情報を特定可能にしている。
【０００３】
この種のリストバンドの作成においては、長尺の帯状に形成したバンド基材に、予め、リストバンドの形状に切り取るための切り取り線をミシン目などによって形成したものが用いられている。リストバンドを作成する際には、このバンド基材をロール状に巻いたものをプリンターにセットし、リストバンドとして使用される部分（ミシン目に囲まれた部分）に、個人情報などの表示情報を印刷する。そして、印刷済みの部分から切り取り線に沿ってバンド基材を切り離し、リストバンドとして使用する。特許文献１には、この種のリストバンドおよびその作成方法が開示されている。
【先行技術文献】
【特許文献】
【０００４】
【特許文献１】特許第４４５０４１０号公報
【発明の概要】
【発明が解決しようとする課題】
【０００５】
特許文献１に示す従来の作成方法では、リストバンドを切り取るための形状を帯状のバンド基材の長手方向に一列に並べてレイアウトしており、１本のリストバンドを作成するために、リストバンドの長さ以上のバンド基材を使用していた。このような方法でリストバンドを作成するにあたって、従来は、リストバンドの幅が１５ｍｍ程度であるのに対し、３６ｍｍ程度の幅のバンド基材が用いられることがあった。このように、バンド基材の幅がリストバンドよりも大幅に広いと、リストバンドの切り取り後に残る部分の面積が大きく、無駄になるバンド基材の量が多かった。また、１つのロールから作成できるリストバンドの数を多くすることができなかった。従って、リストバンドのコスト高の要因となっていた。
【０００６】
本発明の課題は、このような点に鑑みて、リストバンドの作成の際に無駄になるバンド基材を削減でき、低コストで作成することが可能なリストバンドおよびその作成方法を提案することにある。
【課題を解決するための手段】
【０００７】
上記の課題を解決するために、本発明のリストバンドの作成方法は、
帯状のリストバンド形状を長手方向に２分割した場合の２つの分割部分の形状を、帯状のバンド基材に並列にレイアウトし、
当該レイアウトに従って、前記分割部分の形状をした２つの分割片を備える素材片を、前記バンド基材から切り取り、
当該切り取った素材片における前記２つの分割片を、分割位置側の端部同士を突き合わせる向きに一列に配置して、当該端部同士を所定の連結部材によって連結することを特徴としている。
【０００８】
本発明は、このように、素材片の形状として、リストバンドを長手方向に２分割した場合の各分割形状をした分割片を２列に並列配置した形状を採用しているため、素材片の長さをリストバンドの長さよりも短くすることができる。その一方、素材片の幅は、従来の倍以上となる。従って、リストバンドを作成するために幅広のバンド基材を用いている場合には、従来の１本どりの作成方法では無駄になっていたバンド基材の部分を活用でき、リストバンドの長さよりも短いバンド基材から素材片を切り取ることができる。従って、バンド基材の単位長さあたりに作成できるリストバンドの数が増加する。よって、バンド基材の無駄な消費を削減でき、リストバンドを低コストで作成できる。
【０００９】
この場合に、前記２つの分割片は同一長さであり、前記２つの分割片を前記バンド基材の幅方向に並列配置するように、前記素材片の形状を前記バンド基材上にレイアウトし、当該レイアウトに従って前記素材片を切り取ることができる。このようにすると、素材片の長さを最も短くすることができ、従来の半分程度の長さのバンド基材からリストバンドを作成できる。従って、リストバンドを従来よりも大幅に低いコストで作成できる。
【００１０】
本発明において、前記２つの分割片は、各分割片における前記分割位置側の端部同士を同じ側に向けて並列配置されており、前記素材片は、前記２つの分割片を前記分割位置側の端部において接続する接続片を備える構成にすることが望ましい。このようにすると、接続片によって分割片がばらばらになるのを防止できると共に、分割片を縦一列に連結するための連結位置を明確にすることができる。従って、素材片からリストバンドを作成する作業が容易である。
【００１１】
また、前記２つの分割片における前記分割位置側の端部を前記連結部材によって連結した後、当該連結後の前記分割片の端縁からはみ出した前記接続片の部分を切り取ることが望ましい。このようにすると、不要になった接続片によってリストバンドの見栄えや使用感が低下するなどの不都合を防止できる。
【００１２】
ここで、前記連結部材は前記素材片を挟み留めるためのクリップであり、前記２つの分割片における前記分割位置側の各端部に、前記クリップに設けられた係止凸部を通すための連結用係止穴を形成し、各端部における前記連結用係止穴の形成部位を接近させるかもしくは重ね合わせて、当該部位を前記クリップによって挟み留めると共に各連結用係止穴に前記係止凸部を通すことにより、前記２つの分割片を一列に連結する構成にすることができる。このように、素材片に連結用係止穴を形成しておくことにより、クリップを用いて簡単に分割片を連結できる。また、連結用係止穴を位置決め部として機能させることができるため、２つの分割片を正しい配置で連結することができる。
【００１３】
また、前記２つの分割片における前記リストバンド形状の一端側および他端側に対応する各部位には、前記係止凸部を通すための他の係止穴が形成されており、前記クリップは、前記一端側および他端側における前記他の係止穴の形成部位を重ね合わせて挟み留めることによって前記リストバンドを環状にするための係止具として使用可能に構成されていることが望ましい。このようにすると、リストバンドを環状にして腕などに取り付ける際に用いる係止具（クリップ）と同じものを、分割片を連結するための連結部材として用いることができるため、従来からある部品を利用するだけで済み、新たな部品を用意する必要がない。また、この種のクリップよりも無駄に捨てていたバンド基材の方がコスト高であるため、従来よりも低コストでリストバンドを作成できる。
【００１４】
次に、本発明は、上記のリストバンドの作成方法によって作成されたリストバンドである。
【発明の効果】
【００１５】
本発明によれば、リストバンドを作成するために幅広のバンド基材を用いている場合には、従来の１本どりの作成方法では無駄になっていたバンド基材の部分を活用でき、リストバンドの長さよりも短いバンド基材から素材片を切り取ることができる。従って、バンド基材の単位長さあたりに作成できるリストバンドの数が増加する。よって、バンド基材の無駄な消費を削減でき、リストバンドを低コストで作成できる。
【図面の簡単な説明】
【００１６】
【図１】リストバンドを作成するためのバンド基材を示す説明図である。
【図２】素材片から作成したリストバンドの説明図である。
【図３】素材片からリストバンドを作成する過程を示す説明図である。
【発明を実施するための形態】
【００１７】
以下に、図面を参照して、本発明を適用したリストバンドおよびその作成方法の実施の形態を説明する。
【００１８】
図１はリストバンドを作成するためのバンド基材を示す説明図である。バンド基材１は一定幅の長尺の帯状に形成されている。このバンド基材は、病院において、患者の手首や足首などに巻き付けて使用するリストバンドとして用いるのに適した素材で形成されている。バンド基材１の表面には、リストバンドを形成するための素材片２（図３（ａ）参照）の輪郭線に沿った形状の切り取り線３が形成されている。切り取り線３は、ミシン目やハーフカットなどのように、手で切り取ることが可能な加工により形成されている。素材片２の詳細な形状については後述する。
【００１９】
図２は素材片２から作成したリストバンドの説明図である。この図に示すように、リストバンド４は、全体として所定長さの帯状となっている。リストバンド４の長手方向の両端には、人の手首などに取り付ける際に環状に留めるための係止穴５が形成されている。リストバンドの一端側には、この係止穴５が一定間隔で多数形成されたベルト部６が設けられている。また、リストバンド４における係止穴５の形成領域に挟まれた中間部分には、個人情報などの各種の表示情報を印刷するための印刷領域７が設けられている。
【００２０】
リストバンド４の中央部分にはクリップ８（連結部材）が取り付けられている。このリストバンド４は、２つの分割片４Ａ、４Ｂを縦一列に連結して形成されている。分割片４Ａ、４Ｂは、リストバンド４の形状を、その中央を横断する分割線（図２に示すＡ−Ａ線）に沿って長手方向に２分割した場合の各分割部分の形状をしている。分割片４Ａ、４Ｂは、その分割線に沿った形状をした端部４ａ、４ｂ（分割位置側の端部）を突き合わせる向きに配置されている。端部４ａ、４ｂを突き合せて、突き合わせた部分をクリップ８によって挟み留めることにより、分割片４Ａ、４Ｂが直線状に連結され、全体としてリストバンド４の形状となっている。
【００２１】
クリップ８は、リストバンド４を環状に留める際に用いられるものと同一構成のものであり、係止穴５に通すための図示しない係止凸部が形成されている。リストバンド４の一端および他端を重ね合わせ、各端部に形成された係止穴５同士が重なるように重なり量を調整した後、重なり合った係止穴５に係止凸部を通してクリップ８を挟み留めることにより、リストバンド４を環状に留めることができる。分割片４Ａ、４Ｂの端部４ａ、４ｂには、係止穴５と同一形状の係止穴９（連結用係止穴：図１、図３参照）が、端部４ａ、４ｂ同士を突き合わせたときに所定の間隔まで接近する位置に形成されている。クリップ８には２つの係止凸部が設けられており、リストバンド４を環状に留めるときには、隣接する２つの係止穴５に係止凸部を通して留めるように構成されている。本実施形態では、クリップ８に設けられている２つの係止凸部を係止穴９に１本ずつ通すことにより、分割片４Ａ、４Ｂを連結する。
【００２２】
図１に示すように、リストバンド４を作成するための素材片２は、上記の分割片４Ａ、４Ｂを備えており、この分割片４Ａ、４Ｂを並列配置して、その端部同士を細い接続片１０によって接続した形状である。分割片４Ａ、４Ｂは、分割位置側の端部４ａ、４ｂが同じ側を向くように配置されており、この端部４ａ、４ｂの間に接続片１０が直線状に延びている。バンド基材１には、このような素材片２の形状が一列に並んでレイアウトされており、各形状の輪郭線に沿って切り取り線３が形成されている。素材片２の形状は、バンド基材１上において、分割片４Ａ、４Ｂがバンド基材１の幅方向に並ぶようにレイアウトされている。本実施形態では、分割片４Ａ、４Ｂの長さが同一であるため、素材片２の長さは、リストバンド４の長さの半分程度となっている。
【００２３】
リストバンド４を作成する際には、まず、バンド基材１をプリンターにセットして、切り取り線３の内側に設定されている印刷領域７に、必要な表示情報を印刷する。そして、印刷済みのバンド基材１の部分がプリンターから排出されると、このバンド基材１を切り取り線３に沿って切断して、素材片２を切り取る。
【００２４】
図３は素材片２からリストバンド４を作成する過程を示す説明図である。まず、図３（ａ）に示すように、分割片４Ａ、４Ｂの一方（図３（ａ）では、分割片４Ｂ）を矢印Ｂのように１８０度回転させ、端部４ａ、４ｂを突き合わせた姿勢にする。分割片４Ａ、４Ｂは、端部４ａ、４ｂにおいて細い接続片１０によって繋がっているため、接続片１０を曲げて分割片４Ａ、４Ｂの向きを変える作業を簡単に行うことができる。また、接続片１０によって連結された端部４ａ、４ｂ同士を突き合わせればよいため、分割片４Ａ、４Ｂをどのように連結するかが素材片２の形状から一目でわかるようになっている。
【００２５】
分割片４Ａ、４Ｂの一方を回転させた後、図３（ｂ）に示すように、端部４ａ、４ｂを突き合わせて、２つの係止穴９が所定の間隔となるように分割片４Ａ、４Ｂを位置決めする。そして、クリップ８を用いて係止穴９が並んだ部位を挟み留める。このとき、２つの係止穴９のそれぞれに係止凸部を差し込むことにより、分割片４Ａ、４Ｂを連結する。これにより、リストバンド４が完成する。また、このとき、分割片４Ａ、４Ｂの側端からはみ出した状態となっている接続片１０の部分を必要に応じて切り取ることにより、リストバンド４を見栄え良く仕上げると共に、接続片１０が衣服や他の物体に引っ掛かるのを防止できる。また、リストバンド４を装着した人の肌に接続片１０が当たって不快な思いをするのを防止できる。
【００２６】
このように、本実施形態では、リストバンド４を長手方向に２分割した形状の分割片４Ａ、４Ｂを並列配置したものを素材片２として用いてリストバンド４を作成している。本実施形態の分割片４Ａ、４Ｂは同一長さであるため、素材片２は、リストバンド４の半分程度の長さのバンド基材１から切り取ることができる。また、従来は不要であった分割片４Ａ、４Ｂを連結するためのクリップ８が必要になるものの、この種のクリップ８のコストよりも、従来無駄に捨てていたバンド基材１のコストの方が高い。加えて、このクリップ８は、従来からリストバンド４を環状に留めるために用いていた部材であるため、新規な連結部品を用意する必要がない。以上により、本実施形態では、バンド基材１の単位長さあたりに作成できるリストバンド４の数を従来よりも大幅に増加させることができ、従来は無駄になっていたバンド基材１の部分を活用できる。従って、バンド基材１の無駄な消費を削減でき、リストバンド４を低コストで作成できる。
【００２７】
（改変例）
（１）上記実施形態では、分割片４Ａ、４Ｂを同一長さとしていたが、分割片４Ａ、４Ｂの長さを不等にしてもよい。例えば、リストバンド４の中央に印刷領域７が設定されている場合には、印刷領域７を避けた位置に分割位置を設定し、この分割位置でリストバンド形状を分割した場合の２つの分割形状を、分割片４Ａ、４Ｂの形状としてもよい。この場合においても、素材片２をレイアウトするためのバンド基材の長さはリストバンド４の長さよりも短くなるため、バンド基材１の消費量が従来よりも少なくなる。従って、従来よりも低コストでリストバンド４を作成できる。
【００２８】
（２）上記実施形態では、素材片２の形状を、接続片１０によって分割片４Ａ、４Ｂを接続して分割片４Ａ、４Ｂがばらばらにならない形状としていたが、接続片１０を設けず、完全に分離した２つの分割片４Ａ、４Ｂをバンド基材１から切り取って、素材片２として用いることもできる。この場合には、連結部であることを示す目印を端部４ａ、４ｂに設けておくことが望ましい。また、上記の接続片１０の形状は上記の形状に限定されず、他の形状の接続片を設けてもよい。
【００２９】
（３）上記実施形態では、リストバンド４を環状に留めるためのクリップ８と同じものを分割片４Ａ、４Ｂを連結するための連結部材として用いているが、他の構成の連結部材を用いて分割片４Ａ、４Ｂを連結してもよい。例えば、クリップを留めるとその間に挟んだバンド基材１に突き刺さるようなピン状の部分を備えるクリップを用いても良い。この場合には、素材片２に予め係止穴９を設けておく必要がなくなる。
【００３０】
（４）上記実施形態では、分割片４Ａ、４Ｂの端部４ａ、４ｂにおける係止穴９が形成された部分を突き合わせて２つの係止穴９を接近させ、各係止穴９にそれぞれ係止凸部を通してクリップを挟み留めていたが、端部４ａ、４ｂに重ねしろを設けておき、この重ねしろの部分を重ね合わせると係止穴９が重なるように構成して、重なった係止穴９に係止凸部を通すことにより、分割片４Ａ、４Ｂを連結してもよい。この場合には、係止凸部を１つのみ備えているクリップを用いて分割片４Ａ、４Ｂを連結することができる。
【００３１】
（５）上記実施形態では、分割片４Ａ、４Ｂをバンド基材１の幅方向に並列にレイアウトしていたが、バンド基材１の幅が分割片４Ａ、４Ｂの長さよりも長い場合には、９０度回転させて、バンド基材１の長手方向に分割片４Ａ、４Ｂを並列配置するように、素材片２の形状をレイアウトすることも可能である。
【００３２】
（６）上記実施形態では、ミシン目などの切り取り線３を予めバンド基材１に形成して、手で素材片２を切り取っていたが、他の方法で素材片２を切り取っても良い。例えば、印刷後のバンド基材に対して、素材片２の形状の刃先を有するカッターによる切り抜き作業を行っても良い。
【符号の説明】
【００３３】
１…バンド基材、２…素材片、３…切り取り線、４…リストバンド、４ａ、４ｂ…端部（分割位置側の端部）、４Ａ、４Ｂ…分割片、５…係止穴、６…ベルト部、７…印刷領域、８…クリップ（連結部材）、９…係止穴（連結用係止穴）、１０…接続片
【図１】
2012155250.tif 000003
【図２】
2012155250.tif 000004
【図３】
2012155250.tif 000005